(57)【要約】  【課題】  狭い実験室に設置しても高い利便性、作業性、安全性を確保することができる卓上フード設備付き実験台を提供する。  【解決手段】  卓上フード設備３０は、実験台１０の天板１１上の作業スペースを複数に区画する直立した仕切壁３２を備えるとともに、その各区画室Ｕ１、Ｕ２の空間から独立に排気を行うように排気ダクト３７、４０を設ける。各区画室Ｕ１、Ｕ２には、それぞれ廃液専用流し４３１、４３２や排水口、コンセントなどの実験に必要な設備が設けられており、実験者は実験台１０の前面及び後面から２人ずつが並んだ状態で合計４人が各区画室を使用することができ、互いの作業に干渉することなく効率よく且つ良好な作業環境の下で実験作業を進めることが可能である。【選択図】  図５
2005087964.tif 000002
【特許請求の範囲】
【請求項１】
実験台の天板上に設置され、周囲を囲繞するフードと該フードで囲繞された空間内の換気を行うための排気手段とを含む卓上フード設備であって、
前記天板上の作業スペースを複数に区画するための直立した仕切壁と、該仕切壁で区画された各区画室から互いに干渉することなく排気を行うための排気構造体と、
を備えることを特徴とする卓上フード設備。
【請求項２】
前記仕切壁は上面から見たときに略十字状に設けられ、前記実験台の天板を略同サイズに４つに区分して４個の区画室を形成するものであることを特徴とする請求項１に記載の卓上フード設備。
【請求項３】
前記仕切壁で区画された各区画室毎に、上下に分割された、内部を透視可能な上部扉体及び下部扉体から成る扉体を備え、該扉体は、上部扉体及び下部扉体を連動して上方に開放することが可能であるとともに、下部扉体を閉鎖したまま上部扉体のみを上方に開放することも可能である構造を有することを特徴とする請求項１又は２に記載の卓上フード設備。
【請求項４】
請求項１〜３のいずれかに記載の卓上フード設備を備える実験台であって、該実験台の天板の下方の空間に実験に必要な各種機材を収容するスペースを設けたことを特徴とする卓上フード設備付き実験台。
【請求項５】
前記卓上フード設備は各区画室毎に廃液専用流しを備え、該廃液専用流しは実験台下方のスペースに収容された廃液タンクと配管によって接続されて成ることを特徴とする請求項４に記載の卓上フード設備付き実験台。
【請求項６】
前記卓上フード設備及び実験台はそれぞれ容易に組み立て可能なノックダウン方式による構造であることを特徴とする請求項４又は５のいずれかに記載の卓上フード設備付き実験台。
【請求項７】
前記実験台の天板には蓋体を有する排水口が形成されて成ることを特徴とする請求項４〜６のいずれかに記載の卓上フード設備付き実験台。
【発明の詳細な説明】
【技術分野】
【０００１】
本発明は、大学や各種研究機関などで様々な実験研究を行う際に使用される実験台に関し、更に詳しくは、その実験台上の周囲をフードで囲繞するとともにその囲繞された空間内の換気を行うための排気手段を有する卓上フード設備と該設備を備える実験台に関する。
【背景技術】
【０００２】
大学や各種研究機関等において行われる化学実験では、実験に使用する有機溶剤や各種試薬から発生するガス、或いは実験の過程で発生するガスが人体に有害なガスである場合がある。そのため、こうした実験において発生する各種ガスが室内に拡散することを防止し、且つ迅速に室外に排出するために、実験台又はそれに近接して局所的な排気設備を設置することが従来より行われている。
【０００３】
例えば特許文献１には、実験台の上部に設置するための排気用フードが開示されている。また、特許文献２には、天板の一部に凹所を形成して、その凹所内に排気口を有する排気設備を設けた実験台が開示されている。更にまた、室内への有害ガスの拡散をより確実に防止するとともに排気効果を高めるために、実験台の周囲を取り囲むように実験台上に設置される卓上フード設備（卓上排気フードなどと呼ばれることもあるが、ここでは卓上フード設備と総称する）が市販されている。
【０００４】
こうした卓上フード設備を実験台に設置して、それによって形成された空間内で各種の化学実験を行うことは、従来から一般に行われている。しかしながら、こうした従来の卓上フード設備を備える実験台は、次のような様々な問題があった。
（１）同一の実験台上で複数の実験者が異なる実験を行いたい場合に、他の実験者の実験により発生したガスの影響を受けたり、場合によっては他の実験者の作業により飛散した薬品などが混入したりするおそれがあり、作業性や利便性が十分に高いものではなかった。
（２）前面の扉体を開閉したときに排気風量が大きく変化し、作業中の器具が転倒する等で作業に支障をきたすことがある。また、排気ファンの電力消費量が増加したり、実験室内の空調された空気が不所望に排出されることによって室内の冷暖房の電力消費量が増加したりすることも考えられる。
（３）多くの場合、前面の扉体は引違い戸又は上下に開閉する１枚扉であるが、そのためにフード内に設置された実験研究設備の上部側の操作・作業が行いにくい。
（４）実験者は実験で使用した後の廃液を一旦ボトルに溜め、所定の廃液タンクまで廃棄しに持って行く必要があり、面倒であって廃液をこぼす等のミスも起こり易い。
（５）実験で使用される周辺装置や機材を実験台上に置く余裕がないために、通路等に置かれることが多く、作業性、安全性に問題がある。
【０００５】
【特許文献１】実開昭６３−４０７４５号公報
【特許文献２】特開平６−１４２５２９号公報
【発明の開示】
【発明が解決しようとする課題】
【０００６】
本発明は上述したような様々な課題を解決するために成されたものであり、その主たる目的とするところは、作業性及び安全性に優れ、特に同時に複数の実験者が実験する場合の作業性や利便性を考慮した卓上フード設備及び卓上フード設備付き実験台を提供することである。
【課題を解決するための手段、及び効果】
【０００７】
上記課題を解決するために成された本発明に係る卓上フード設備は、実験台の天板上に設置され、周囲を囲繞するフードと該フードで囲繞された空間内の換気を行うための排気手段とを含む卓上フード設備であって、
前記天板上の作業スペースを複数に区画するための直立した仕切壁と、該仕切壁で区画された各区画室から互いに干渉することなく排気を行うための排気構造体と、
を備えることを特徴としている。
【０００８】
本発明に係る卓上フード設備の具体的な一態様として、前記仕切壁は上面から見たときに略十字状に設けられ、前記実験台の天板を略同サイズに４つに区分して４個の区画室を形成するものである構成とすることができる。
【０００９】
すなわち、本発明に係る卓上フード設備を実験台の天板上に設置すると、卓上フード設備の仕切壁によって、実験台の天板上のスペースが複数（例えば４区画）に区分される。この仕切壁で区分された各区画室が独立したスペースとなり、異なる実験者が各区画室で異なる作業を行うことができる。さらに、この４つの区画室は排気構造体（及びこの卓上フード設備自体又はその外部に設けられた排気ファン等）によって互いに干渉することがないように排気されるため、或る区画室における実験作業の過程で発生する各種ガスが他の区画室に漏れることなく、しかもそのガスを発生した区画室からも迅速に排出される。
【００１０】
したがって、本発明に係る卓上フード設備によれば、複数の実験者が異なる区画室で同時に実験作業を行っても互いに作業の妨げになることがなく、高い作業性を確保することができる。また、実験室自体が狭く、複数の実験台を設置するスペース的な余裕がない場合でも、１台の実験台を設置しさえすれば複数の実験者が同時に異なる実験作業を行うことができる。したがって、高い利便性を有し、利用者にとっては導入コストを抑制することができる。
【００１１】
また、本発明に係る卓上フード設備では、開口面全体の風速のばらつきを低減するために、実験者が開閉する扉体に対向するバッフルプレートの略中央に長手のスリットを形成し、該スリットを通して扉体を開放したときの開口面から流入した空気を排気構造体へと案内する構成とするとよい。これによれば、開口面から区画室内へ流入する空気流が安定し、例えば労働安全衛生法の規定に準拠した値（０．５ｍ／ｓ）を確保し易くなる。また、局所的な風量の増加も緩和され、器具の転倒なども起きにくくなる。また、排気ファンの排気能力を必要以上に大きくする必要がなく、実験室内の冷暖房された空気も必要以上に排気されてしまうことがない。それによって、実験室全体としての電力消費量を抑制することができる。
【００１２】
また、本発明に係る卓上フード設備では、前記仕切壁で区画された各区画室毎に、上下に分割された、内部を透視可能な上部扉体及び下部扉体から成る扉体を備え、該扉体は、上部扉体及び下部扉体を連動して上方に開放することが可能であるとともに、下部扉体を閉鎖したまま上部扉体のみを上方に開放することも可能である構造を有するものとするとよい。
【００１３】
すなわち、実験者は、前面を広く開放して作業を行いたい場合には上部扉体及び下部扉体を連動して上方に開放すればよいし、区画室内の上部空間に配置された器具等の操作を行いたい場合には下部扉体を閉鎖したまま上部扉体のみを上方に開放すればよい。このように作業内容によって扉体の開放方法を選択できるので、作業性が良好であって効率的に実験を進めることができる。
【００１４】
また、上記のような本発明に係る卓上フード設備を備える実験台においては、該実験台の天板の下方の空間に実験に必要な各種機材を収容するスペースを設けた構成とすることが好ましい。具体的には、このスペースには例えば周辺装置や薬品庫、ゴミ箱、消火器等を組み込むことができるので、こうした各種機材が通路にはみ出さず、利便性が高まって効率よく作業を行うことができるとともに、通路を通る人の妨げとならずに高い安全性を確保することができる。
【００１５】
また、前記卓上フード設備は各区画室毎に廃液専用流しを備え、該廃液専用流しは実験台下方のスペースに収容された廃液タンクと配管によって接続されて成る構成とするとよい。これによれば、実験者は作業中に不要になった溶剤などの廃液を手元の廃液専用流しに流すことができるので、作業性が良好であるとともに、こうした廃液を各実験者が個別に運搬する際に誤ってこぼしてしまうといった事故も軽減できる。
【００１６】
また、前記卓上フード設備及び実験台はそれぞれ容易に組み立て可能なノックダウン方式による構造とするとよい。これによれば、複数の部材に分解した状態で実験室（又は研究室）へ搬入し、その後に組み立てればよいので、実験室の出入口が比較的狭い場合でも無理なく搬入が行える。また、こうした搬入・設置に充たる作業者の数も少なくて済む。
【００１７】
なお、前記実験台の天板には蓋体を有する排水口が形成されて成るものとするとよい。これによって、例えば天板上に何らかの溶剤をこぼしたり天板が汚れたりした場合に、水を天板に流して汚水を排水口から排出することができる。また、蓋体によって通常は排水口上面を閉鎖しておくことにより、物が排水口内に落下することを防止できるほか、廃液等、本来、排水口に流すべきでないものを実験者が不用意に流してしまうことを防止できるという効果もある。
【実施例】
【００１８】
本発明の一実施例である卓上フード設備付き実験台について、図１〜図８を参照して説明する。図１〜図４は実験台に各種機材を組み込み、且つ卓上フード設備を取り外した状態での外観図であり、図１は正面図、図２は上面図、図３は右側面図、図４は図１中のＡ−Ａ’線断面図及びＢ−Ｂ’線断面図である。図５及び図６は卓上フード設備を取り付けた状態での正面外観図及び上面外観図、図７は卓上フード設備のみの右側面透視図、図８は排気時の空気の流れを示す模式図である。なお、理解を容易にするために、図６、図７では断面でない部分にも適宜、斜線による塗りつぶしを入れている。また、説明の中で使用したいくつかの符号は、背面に隠れる等の理由で以て図面上には現れない場合がある。
【００１９】
本実施例の卓上フード設備付き実験台は、それ単体でも使用可能な実験台１０上に、ノックダウン構造の卓上フード設備３０を取り付けたものであり、通常、実験室又は研究室の中央（隅ではない）に設置され、その前方向及び後方向の二方向から実験者が作業するようになっている。
【００２０】
図１〜図３に示すように、実験台１０は、例えば幅3000mm、奥行1500mm、厚さ20mmのサイズの平板であって、上面にフェノール樹脂表面特殊仕上げが施された天板１１を備える。床面から天板１１の上面までの高さは例えば880mmである。この天板１１は１枚板でもよいが、ここでは同寸法の４枚に分割されており、これを現地（実験室内）で組み立てるようにしている。この天板１１上が実験研究のための作業スペースであり、後述するように卓上フードの仕切壁によって４区画に区分される。以下の説明では、仕切壁によって形成される４つの区画室にＵ１〜Ｕ４なる符号を付す。
【００２１】
天板１１には、各区画室Ｕ１〜Ｕ４に対応した範囲毎に、蓋体を備えた排水口１２１〜１２４と、通気穴１３，１４とが設けられている。排水口１２１〜１２４は天板１１の下に排水トラップが埋設されることにより形成され、各排水トラップは排水管（図示しない）を通して通常の排水溝に接続される。この排水口１２１〜１２４は、天板１１が汚れた場合などに後述する給水栓から天板１１上に水を流し、その汚水を天板１１上から除去する際に利用されるが、通常（実験中など）は蓋体で閉鎖される。
【００２２】
通気穴１３は天板１１を貫通し、天板１１上部と吹き抜け部１９とを連通している。この吹き抜け部１９には２個の廃液タンク２０が設置され、該廃液タンク２０には使用済みの有機溶剤等の廃液が貯留される。通気穴１３はこうした廃液から揮発するガスを天板１１上部へと吸引するためのものである。一方、通気穴１４の下には、図４に示すような、適宜の箇所に通気穴１５ａが設けられた筒状の換気ダクト１５が装着される。この換気ダクト１５は後述する薬品庫２４の後方に位置する。薬品庫２４内に収容される各種薬品から揮発するガスの中には、空気よりも比重が大きいために床面近くに溜まるものがあるが、換気ダクト１５はこうした床面近傍に溜まったガスを効果的に天板１１上部へと吸引するためのものである。
【００２３】
天板１１の下方には、各区画室Ｕ１〜Ｕ４の端部に複数段（この例では４段）の引出しユニット１６１〜１６４が設けられ、その内側には各種配管等を隠蔽する機能を有するバックボード１７が設けられている。このバックボード１７には、そのバックボード１７の手前のスペースに設置される各種機材の電源用としてのＡＣコンセント１８が設置されている。この実施例では、各区画室Ｕ１〜Ｕ４毎にそれぞれ設けられる機材として、ゴミ箱２１１〜２１４、油回転ポンプ（真空ポンプ）２２１〜２２４、冷媒循環装置２３１〜２３４が、バックボード１７手前のスペースに設置されている。また、左右に並んだ２つの区画室Ｕ１とＵ２、及びＵ３とＵ４で共通に利用される機材として、バックボード１７の手前のスペースに消火器２５が、バックボード１７の無いスペースに薬品庫２４が収容されている。図１に示すように、この薬品庫２４は区画室Ｕ１の直下に収容されているため、その分だけバックボード１７手前のスペースの幅が狭くなっている。そこで、本来、ここに収容すべき冷媒循環装置２３１を区画室Ｕ２の直下に設置している。図示しないが、後部側の区画室Ｕ３、Ｕ４でも同様である。
【００２４】
また、天板１１のすぐ下には、各区画室Ｕ１〜Ｕ４毎に、真空ポンプ用のＡＣコンセントのオン／オフを行うポンプ用スイッチ２６１〜２６４と、ＡＣコンセント２８１〜２８４と、オプションとして設けられるアスピレータ装置のオン／オフを行うアスピレータ用スイッチ２７１〜２７４とが設けられている。
【００２５】
このように本実施例における実験台１０では、実験に必要な各種機材・装置が効率よく天板１１の下方のスペースに収容できるようになっており、こうした機材や装置を通路等にはみ出して置くことがなくなり、作業性が向上するのみならず通路の安全の確保にも有用である。
【００２６】
上述した実験台１０の上には卓上フード設備３０が取り付けられる。この卓上フード設備３０の枠体は、基本的に、両側部３１ａ及び天井３１ｂが閉塞されており、前面側及び後面側は実験者が実験台１０にアプローチ可能であるように開放した構造となっている。この卓上フード設備３０は、上述したように実験台１０上のスペースを４つに区画するために、左右の略中央に前後方向に延展して直立する仕切壁３２と、前後の略中央に左右方向に延展して直立する仕切壁３３とを備える。これら仕切壁３２、３３によって実験台１０上のスペースは４つに区画されるが、実際には、配管スペース等を確保する必要があるため、仕切壁３２の両側には仕切壁３２と所定間隔離してサイドプレート３４が立設され、仕切壁３３の両側には仕切壁３３と所定間隔離してバックプレート３５が立設されている。したがって、サイドプレート３４及びバックプレート３５で囲まれたスペースが、各区画室Ｕ１〜Ｕ４において実際に実験者が作業可能なスペースである。
【００２７】
各区画室Ｕ１〜Ｕ４にあって実験者がアプローチする方向から見て手前側（つまり図面上では区画室Ｕ１、Ｕ２においては前方側、区画室Ｕ３、Ｕ４においては後方側）には、上下２枚の強化ガラスから成る内部透視可能な扉体４２１〜４２４が開閉自在に設けられている。この扉体４２１〜４２４においては、手前側の上部扉体４２１ａ〜４２４ａはそれ単体で上方に開放可能である。また、奥側の下部扉体４２１ｂ〜４２４ｂを上方に引き上げると、途中までは下部扉体４２１ｂ〜４２４ｂのみが開放し、上部扉体４２１ａ〜４２４ａの下端近くまで引き上げた後には、上部扉体４２１ａ〜４２４ａが下部扉体４２１ｂ〜４２４ｂと連動して上方に開放する。したがって、全体を広く開放して作業を行いたい場合には、下部扉体４２１ｂ〜４２４ｂを引き上げればよいし、区画室Ｕ１〜Ｕ４内の上部スペースのみの作業を行いたい場合には上部扉体４２１ａ〜４２４ａを引き上げれば、下部扉体４２１ｂ〜４２４ｂはそのままの位置を維持する。これによって、区画室Ｕ１〜Ｕ４内の上部スペースのみの作業を行う場合の作業性が向上する。なお、扉体４２１〜４２４はそれぞれ独立に施錠が可能であって、それによってセキュリティ性も確保できる。
【００２８】
天井３１ｂには、区画室Ｕ１、Ｕ３の左右方向の略中央の仕切壁３３の直上に円形状の吸込み口３６が開口し、この吸込み口３６は排気ダクト３７を介して右測方に開口した排気口３８に連通している。同様に、区画室Ｕ２、Ｕ４の左右方向の略中央の仕切壁３３の直上には円形状の吸込み口３９が開口し、この吸込み口３９は排気ダクト４０を介して右測方に開口した排気口４１に連通している。実験室に設置された状態では、排気口３８、４１には図示しない外部の排気ダクトが連結され、排気用のファンを介して屋外に向けて開口した排気口へと連通する。すなわち、この排気用のファンが作動すると、吸込み口３６を通して区画室Ｕ１、Ｕ３内の空気が吸引される一方、吸込み口３９を通して区画室Ｕ２、Ｕ４内の空気が吸引されて屋外へと排出される。
【００２９】
このときの区画室内における空気の流れを図８により説明する。図８は扉体４２１〜４２４を完全に閉鎖した状態で排気用ファンを作動させたときの空気の流れを示している。扉体４２１〜４２４を完全に閉鎖した状態でも、下部扉体４２１ｂ〜４２４ｂの下端下側には小さな隙間が形成されるようになっている。また、このとき上部の通気穴４２１ｃ〜４２４ｃは開放する。したがって、この通気穴４２１ｃ〜４２４ｃと下部の隙間とから空気が各区画室Ｕ１〜Ｕ４内へ流入する。一方、バックプレート３５の下部、中央部にはそれぞれ横方向に細長いスリット３５ａ、３５ｂが形成されており、また手前側に折り曲げられた上部の上端と天井３１ｂとの間にも隙間が形成されている。したがって、これらスリットや隙間を通して各区画室Ｕ１〜Ｕ４内の空気（ガス）はバックプレート３５と仕切壁３３との間の空間に流れ込んで上方へと向かい、吸込み口３９（又は３６）を通して排気ダクト３７、４０へと吸い出される。さらに、卓上フード設備３０を実験台１０上に設置した状態では、実験台１０の通気穴１３、１４はバックプレート３５と仕切壁３３との間の空間に連通する。したがって、通気穴１３、１４を通して天板１１の下方からも空気が吸い上げられ、前述したように、廃液タンク２０内の廃液や薬品庫２４内の薬品に由来するガスも屋外へと排出される。
【００３０】
実験者により上部扉体４２１ａ〜４２４ａが引き上げられると、扉体は開放するが通気穴４２１ｃ〜４２４ｃは閉塞される。それによって、その開放部分から空気が区画室Ｕ１〜Ｕ４内に流入するため、区画室Ｕ１〜Ｕ４内で発生している不所望のガスが実験者のほうへ逆流することを防止できる。
【００３１】
この実施例の卓上フード設備３０では、前後に並んだ区画室Ｕ１、Ｕ３とＵ２、Ｕ４とで吸込み口３６、３９が共用されているが、図６及び図８で明らかなように、仕切壁３３によって吸込み口３６、３９の開口面積はちょうど等分されており、前後の区画室Ｕ１（又はＵ２）、Ｕ３（又はＵ４）からの吸気の条件は揃っている。したがって、一方の区画室に偏ることなく両区画室から良好に排気を行うことができる。もちろん、各区画室毎に吸込み口を設けても構わないが、本実施例の構成によれば同等の排気能力を確保しつつ設備のコスト削減が可能である。
【００３２】
上記のように扉体４２１〜４２４の開閉が行われると区画室Ｕ１〜Ｕ４内への空気の流入路の断面積が変化することになるが、それによって風速が大きく変動すると、作業中の器具が転倒する等のおそれがある。そこで、この卓上フード設備３０では、それぞれ排気風速を一定に維持する装置が排気ダクト３７、４０に付設されている。具体的には、排気ダクト３７、４０の排気路には電動開閉式のダンパが設けられ、このダンパの開度は各扉体４２１〜４２４の開閉動作に連動して風速が略一定（ここでは０．５ｍ／ｓ）になるように制御される。これによって、風速が落ちて各区画室Ｕ１〜Ｕ４内からガスが逆流してくることを防止できるとともに、逆に風速が増加して各区画室Ｕ１〜Ｕ４内での作業に支障をきたすことも防止できる。また、実験室内の空調された空気が必要以上に排気されることも防止できるので、実験室を冷暖房するための消費電力の節約にも寄与する。
【００３３】
また、上述したようにバックプレート３５にスリット３５ａ、３５ｂが形成されていることによって、扉体４２１〜４２４が開放されたときの開口面内での風速のばらつきが軽減され、局所的に風速が大きくなることを回避できる。それによって、区画室Ｕ１〜Ｕ４へ流入する空気流による作業の妨げを一層少なくすることができる。
【００３４】
卓上フード設備３０によって形成される各区画室Ｕ１〜Ｕ４内部には、それぞれ実験に必要な設備が備えられている。すなわち、バックプレート３５には、フラスコや試験管などの器具を固定するためのスタンド４４１〜４４４が設けられ、サイドプレート３４には、廃液専用流し４３１〜４３４、ＡＣコンセント４８１〜４８４、不活性ガスバルブ４９１〜４９４、真空バルブ５０１〜５０４、冷媒循環パイプ取出し口５１１〜５１４、給水栓５２１〜５２４が設けられている。真空バルブ５０１〜５０４は図示しない配管により上記真空ポンプ２２１〜２２４に接続され、冷媒循環パイプ取出し口５１１〜５１４は図示しない配管により上記冷媒循環装置２３１〜２３４に接続されている。また、不活性ガスバルブ４９１〜４９４は右側壁３１ａに共通に設けられた不活性ガス調圧バルブ４７を介して、図示しない不活性ガス供給管に接続されている。
【００３５】
廃液専用流し４３１〜４３４は実験に使用して不要となった有機溶剤などを流すためのものであって、廃液管５３を介して前述の廃液タンク２０へと接続されている。各区画室Ｕ１〜Ｕ４に独立して廃液専用流し４３１〜４３４が設けられているため、実験者は作業中に不要になった廃液をすぐに手元の廃液専用流し４３１〜４３４に廃棄することができ、作業効率がよい。
【００３６】
上述したように、本実施例による卓上フード設備３０を設置した実験台１０では、４人の実験者が同時に４つの区画室Ｕ１〜Ｕ４を使用してそれぞれ異なる内容の実験を行うことができる。各区画室Ｕ１〜Ｕ４は完全に仕切られ、しかも互いに干渉することなく排気が行われるので、互いに他の実験者の妨げとなることがなく、効率よく作業を進めることができる。また、各実験者の作業環境も良好に維持でき、特に労働安全衛生法などの規定に準拠した環境を形成するのも容易である。
【００３７】
また、実験台１０、卓上フード設備３０共に、ノックダウン構造となっており、複数の部材に分解した状態で実験室へと搬入し、その実験室内で組み立てを行うようにしている。そのため、実験室への搬入路が狭い場合等であっても、比較的容易に設置が可能である。
【００３８】
なお、上記実施例は本発明の一例にすぎず、本発明の趣旨に沿って適宜変形や修正を行えることは明らかである。
【図面の簡単な説明】
【００３９】
【図１】本発明の一実施例である卓上フード設備付き実験台について、卓上フード設備を取り外した状態での実験台の正面外観図。
【図２】卓上フード設備を取り外した状態での実験台の上面外観図。
【図３】卓上フード設備を取り外した状態での実験台の右側面外観図。
【図４】図１中のＡ−Ａ’線断面及びＢ−Ｂ’線断面図。
【図５】卓上フード設備を取り付けた状態での実験台の正面外観図。
【図６】卓上フード設備を取り付けた状態での実験台の上面外観図。
【図７】卓上フード設備の右側面透視図。
【図８】卓上フード設備内における排気時の空気の流れを示す模式図。
【符号の説明】
【００４０】
Ｕ１〜Ｕ４…区画室
１０…実験台
１１…天板
１２１〜１２４…排水口
１３、１４…通気穴
１５…換気ダクト
１５ａ…通気穴
１６１〜１６４…引出しユニット
１７…バックボード
１８…ＡＣコンセント
１９…吹き抜け部
２０…廃液タンク
２１１〜２１４…ゴミ箱
２２１〜２２４…真空ポンプ
２３１〜２３４…冷媒循環装置
２４…薬品庫
２５…消火器
２６１〜２６４…ポンプ用スイッチ
２７１〜２７４…アスピレータ用スイッチ
２８１〜２８４…ＡＣコンセント
３０…卓上フード設備
３１ａ…右側壁
３１ｂ…天井
３２、３３…仕切壁
３４…サイドプレート
３５…バックプレート
３５ａ、３５ｂ…スリット
３６、３９…吸込み口
３７、４０…排気ダクト
３８、４１…排気口
４２１〜４２４…扉体
４２１ａ〜４２４ａ…上部扉体
４２１ｂ〜４２４ｂ…下部扉体
４２１ｃ〜４２４ｃ…通気穴
４３１〜４３４…廃液専用流し
４４１〜４４４…スタンド
４７…不活性ガス調圧バルブ
４８１〜４８４…ＡＣコンセント
４９１〜４９４…不活性ガスバルブ
５０１〜５０４…真空バルブ
５１１〜５１４…冷媒循環パイプ取出し口
５２１〜５２４…給水栓
５３…廃液管
【図１】
2005087964.tif 000003
【図２】
2005087964.tif 000004
【図３】
2005087964.tif 000005
【図４】
2005087964.tif 000006
【図５】
2005087964.tif 000007
【図６】
2005087964.tif 000008
【図７】
2005087964.tif 000009
【図８】
2005087964.tif 000010